(57)【要約】【課題】  撮影シーンに適した良好な構図の画像を、撮影者に依存することなく容易に取得できるデジタルカメラを提供する。【解決手段】  撮影モード選択手段は、人物を被写体として撮影するための人物モード、風景を被写体として撮影するための風景モードを含む複数の撮影モードのいずれかを撮影者に選択させる。画像解析手段は、撮像手段により撮像された撮影画像に対して、人物モード中に人物抽出を実施し、風景モード中に風景解析を実施する。領域設定手段は、撮影画像の一部を切り出して、構図が修正されたクロップ画像を取得するために、撮影画像から切り出す領域を示すクロップ領域の大きさおよび位置を含む領域パラメータを、画像解析手段による画像解析の結果に基づいて設定する。【選択図】      図１
2005175684.tif 000002
【特許請求の範囲】
【請求項１】
人物を被写体として撮影するための人物モード、風景を被写体として撮影するための風景モードを含む複数の撮影モードのいずれかを撮影者に選択させるための撮影モード選択手段と、
被写体の画像を撮像する撮像手段と、
前記撮像手段により撮像された撮影画像に対して、人物モード中に、人物の特徴量を解析する人物抽出を実施し、風景モード中に、風景の特徴量を解析する風景解析を実施する画像解析手段と、
前記撮影画像の一部を切り出して、構図が修正されたクロップ画像を取得するために、前記撮影画像から切り出す領域を示すクロップ領域の大きさおよび位置を含む領域パラメータを、前記画像解析手段による画像解析の結果に基づいて設定する領域設定手段とを備えていることを特徴とするデジタルカメラ。
【請求項２】
請求項１記載のデジタルカメラにおいて、
被写体の種別を判別する被写体判別手段を備え、
前記複数の撮影モードは、人物モードおよび風景モードに加えて、被写体をその種別を予め指定することなく撮影するためのオートモードを含み、
前記画像解析手段は、オートモード中に、前記撮影画像に対して、前記人物抽出および前記風景解析の双方を実施し、
前記被写体判定手段は、オートモード中に、前記画像解析手段による画像解析の結果に基づいて被写体の種別を判別し、判別結果に対応する人物モードおよび風景モードのいずれかを選択し、
前記領域設定手段は、前記被写体判別手段により選択された撮影モードに対応して前記領域パラメーラを設定することを特徴とするデジタルカメラ。
【請求項３】
請求項１記載のデジタルカメラにおいて、
前記複数の撮影モードは、人物モードおよび風景モードに加えて、人物および風景の双方を被写体として撮影するための人物＋風景モードを含み、
前記画像解析手段は、人物＋風景モード中に、前記撮影画像に対して、前記人物抽出および前記風景解析の双方を実施することを特徴とするデジタルカメラ。
【請求項４】
請求項３記載のデジタルカメラにおいて、
被写体の種別を判別する被写体判別手段を備え、
前記複数の撮影モードは、人物モード、風景モードおよび人物＋風景モードに加えて、被写体をその種別を予め指定することなく撮影するためのオートモードを含み、
前記画像解析手段は、オートモード中に、前記撮影画像に対して、前記人物抽出および前記風景解析の双方を実施し、
前記被写体判定手段は、オートモード中に、前記画像解析手段による画像解析の結果に基づいて被写体の種別を判別し、判別結果に対応する人物モード、風景モードおよび人物＋風景モードのいずれかを選択し、
前記領域設定手段は、前記被写体判別手段により選択された撮影モードに対応して前記領域パラメーラを設定することを特徴とするデジタルカメラ。
【請求項５】
請求項１記載のデジタルカメラにおいて、
撮影要求から所定時間後に撮影を実施するセルフタイマ撮影を撮影者に設定させるためのセルフタイマ撮影設定手段と、
前記セルフタイマ撮影設定手段によりセルフタイマ撮影が設定された場合、撮影モードを人物モードに固定する撮影モード固定手段とを備えていることを特徴とするデジタルカメラ。
【請求項６】
請求項１記載のデジタルカメラにおいて、
前記領域パラメータを、前記撮影画像と共に記憶する記憶手段を備えていることを特徴とするデジタルカメラ。
【請求項７】
請求項１記載のデジタルカメラにおいて、
前記領域パラメータで表されるクロップ領域内の画像をクロップ画像として取り込むクロップ手段と、
前記クロップ画像を記憶する記憶手段とを備えていることを特徴とするデジタルカメラ。
【請求項８】
請求項１記載のデジタルカメラにおいて、
前記領域パラメータは、前記撮影画像の傾きを補正するためのクロップ領域の回転量を含むことを特徴とするデジタルカメラ。
【請求項９】
請求項１記載のデジタルカメラにおいて、
前記領域パラメータは、前記撮影画像の歪みを補正するためのクロップ領域の伸縮量を含むことを特徴とするデジタルカメラ。
【請求項１０】
被写体の画像を撮像する撮像手段と、
前記撮像手段により撮像された撮影画像の一部を切り出して、クロップ画像を取得するために、前記撮影画像から切り出す領域を示すクロップ領域の大きさおよび位置を含む領域パラメータを設定する領域設定手段と、
前記領域パラメータを、前記撮影画像と共に記憶する記憶手段とを備えていることを特徴とするデジタルカメラ。
【請求項１１】
人物を被写体として撮影するための人物モード、風景を被写体として撮影するための風景モードを含む複数の撮影モードのいずれかを撮影者に選択させるための撮影モード選択手段と、被写体の画像を撮像する撮像手段と、画像を表示するための表示画面を有する表示手段、画像を記憶する記憶手段とを有するデジタルカメラの画像取得方法であって、
前記撮像手段により撮像された撮影画像に対して、人物モード中に、人物の特徴量を解析する人物抽出を実施し、風景モード中に、風景の特徴量を解析する風景解析を実施し、
前記撮影画像の一部を切り出して、構図が修正されたクロップ画像を取得するために、前記撮影画像から切り出す領域を示すクロップ領域の大きさおよび位置を含む領域パラメータを、前記撮影画像に対する画像解析の結果に基づいて設定し、
前記領域パラメーラで表されるクロップ領域内の画像をクロップ画像として取り込むとともに、前記クロップ画像を前記表示画面に表示し、
前記領域パラメータを、前記撮影画像と共に前記記憶手段に格納することを特徴とするデジタルカメラの画像取得方法。
【発明の詳細な説明】
【技術分野】
【０００１】
本発明は、デジタルカメラおよびデジタルカメラの画像取得方法に関し、特に、良好な構図の画像を自動的に取得する技術に関する。
【背景技術】
【０００２】
カメラ撮影時の構図決定は、カメラの初心者にとっては技術的に難しい。例えば、人物を撮影する際、人物の顔が撮影画像の中央に配置される、いわゆる日の丸構図（人物の撮影画像の構図として一般的に失敗とされる）に陥りがちである。日の丸構図を避けるには、例えば、フォーカスロック機能を使用すればよいが、これも初心者には技術的に容易ではない。
【０００３】
この問題を解決するために、例えば、特許文献１では、人物モード、風景モード等の複数の撮影モードを有し、予め用意された複数の構図補助フレームの中から選択した構図補助フレームを表示画面上に表示し、表示された構図補助フレームに合わせて被写体のフレーミングが可能なデジタルカメラが提案されている。このデジタルカメラでは、例えば、人物モードを選択すると、複数の構図補助フレームの中から人物の撮影に適した構図補助フレームが表示画面上に表示され、表示された構図補助フレームに被写体を合わせて撮影することで、初心者でも良好な構図の画像を取得できる。
【０００４】
また、特許文献２では、予め記憶された参照構図と現在の被写体画像の構図を重畳表示し、参照構図と現在の被写体画像の構図とが合致すると判定したときに、被写体画像を記録するデジタルカメラが提案されている。
一方、特許文献３では、撮影画像の解析結果に基づいて複数の構図修正案を提示し、撮影者が選択した構図修正案に従って撮影画像から切り出したクロップ画像を保存するカメラが提案されている。
【特許文献１】特開２００１−２１１３６２号公報
【特許文献２】特開平８−２９４０２５号公報
【特許文献３】特開２００３−７８８１３号公報（図５１）
【発明の開示】
【発明が解決しようとする課題】
【０００５】
しかしながら、特許文献１，２では、撮影者がデジタルカメラの各部を操作して、構図補助フレームや参照構図に合わせて被写体をフレーミングしなければならず、カメラの初心者には技術的な難しさが残る。
また、特許文献３では、撮影シーン（被写体の種別）に拘わらず撮影画像の画像解析を実施するため、画像解析処理の効率が悪く、撮影シーンに適した構図修正案が提示され難い。さらに、撮影者が構図修正案の中で最適と思うものを選択する必要があり、初心者には、どの構図が最適であるかを判断することは難しい。
【０００６】
本発明の目的は、撮影シーンに適した良好な構図の被写体画像を、撮影者に依存することなく容易に取得できるデジタルカメラを提供することにある。また、本発明の別の目的は、画像を格納する記憶媒体の記憶領域を有効活用することにある。
【課題を解決するための手段】
【０００７】
請求項１のデジタルカメラでは、撮影モード選択手段は、人物を被写体として撮影するための人物モード、風景を被写体として撮影するための風景モードを含む複数の撮影モードのいずれかを撮影者に選択させる。撮像手段は、被写体の画像を撮像する。画像解析手段は、撮像手段により撮像された撮影画像に対して、人物モード中に、人物の特徴量を解析する人物抽出を実施し、風景モード中に、風景の特徴量を解析する風景解析を実施する。領域設定手段は、撮影画像の一部を切り出して、構図が修正されたクロップ画像を取得するために、撮影画像から切り出す領域を示すクロップ領域の大きさおよび位置を含む領域パラメータを、画像解析手段による画像解析の結果に基づいて設定する。
【０００８】
請求項２のデジタルカメラでは、複数の撮影モードは、人物モードおよび風景モードに加えて、被写体をその種別を予め指定することなく撮影するためのオートモードを含む。画像解析手段は、オートモード中に、撮影画像に対して、人物抽出および風景解析の双方を実施する。被写体判別手段は、オートモード中に、画像解析手段による画像解析の結果に基づいて被写体の種別を判別し、判別結果に対応する人物モードおよび風景モードのいずれかを選択する。領域設定手段は、被写体判別手段により選択された撮影モードに対応して領域パラメーラを設定する。
【０００９】
請求項３のデジタルカメラでは、複数の撮影モードは、人物モードおよび風景モードに加えて、人物および風景の双方を被写体として撮影するための人物＋風景モードを含む。画像解析手段は、人物＋風景モード中に、撮影画像に対して、人物抽出および風景解析の双方を実施する。
請求項４のデジタルカメラでは、複数の撮影モードは、人物モード、風景モードおよび人物＋風景モードに加えて、被写体をその種別を予め指定することなく撮影するためのオートモードを含む。画像解析手段は、オートモード中に、撮影画像に対して、人物抽出および風景解析の双方を実施する。被写体判別手段は、オートモード中に、画像解析手段による画像解析の結果に基づいて被写体の種別を判別し、判別結果に対応する人物モード、風景モードおよび人物＋風景モードのいずれかを選択する。領域設定手段は、被写体判別手段により選択された撮影モードに対応して領域パラメーラを設定する。
【００１０】
請求項５のデジタルカメラでは、セルフタイマ撮影設定手段は、撮影要求から所定時間後に撮影を実施するセルフタイマ撮影を撮影者に設定させる。撮影モード固定手段は、セルフタイマ撮影設定手段によりセルフタイマ撮影が設定された場合、撮影モードを人物モードに固定する。
請求項６のデジタルカメラでは、記憶手段は、領域パラメータを撮影画像と共に記憶する。
【００１１】
請求項７のデジタルカメラでは、クロップ手段は、領域パラメータで表されるクロップ領域内の画像をクロップ画像として取り込む。記憶手段は、クロップ画像を記憶する。
請求項８のデジタルカメラでは、領域パラメーラは、撮影画像の傾きを補正するためのクロップ領域の回転量を含む。
請求項９のデジタルカメラでは、領域パラメータは、撮影画像の歪みを補正するためのクロップ領域の伸縮量を含む。
【００１２】
請求項１０のデジタルカメラでは、撮像手段は、被写体の画像を撮像する。領域設定手段は、撮像手段により撮像された撮影画像の一部を切り出して、クロップ画像を取得するために、撮影画像から切り出す領域を示すクロップ領域の大きさおよび位置を含む領域パラメータを設定する。記憶手段は、領域パラメータを撮影画像と共に記憶する。
請求項１１のデジタルカメラの画像取得方法では、人物を被写体として撮影するための人物モード、風景を被写体として撮影するための風景モードを含む複数の撮影モードのいずれかを撮影者に選択させるための撮影モード選択手段と、被写体の画像を撮像する撮像手段と、画像を表示するための表示画面を有する表示手段と、画像を記憶する記憶手段とを有するデジタルカメラの画像取得方法において、撮像手段により撮像された撮影画像に対して、人物モード中に、人物の特徴量を解析する人物抽出を実施し、風景モード中に、風景の特徴量を解析する風景解析を実施し、撮影画像の一部を切り出して、構図が修正されたクロップ画像を取得するために、撮影画像から切り出す領域を示すクロップ領域の大きさおよび位置を含む領域パラメータを、撮影画像に対する画像解析の結果に基づいて設定し、領域パラメーラで表されるクロップ領域内の画像をクロップ画像として取り込むとともに、クロップ画像を表示画面に表示し、領域パラメータを撮影画像と共に記憶手段に格納する。
【発明の効果】
【００１３】
請求項１のデジタルカメラでは、領域設定手段が、撮影モードに応じて実施された画像解析の結果に基づいてクロップ領域を示す領域パラメータを設定することで、撮影シーンに適した良好な構図の画像を、撮影者に依存することなく自動的に取得できる。また、撮影モード選択手段により撮影者が指定する撮影モードを受け付け、受け付けた撮影モードに応じて画像解析手段が動作することで、画像解析処理の効率を向上できる。
【００１４】
請求項２および請求項４のデジタルカメラでは、オートモードを設けることで、撮影者が撮影シーンに合わせて撮影モードを切り替える操作を不要にでき、デジタルカメラの使い勝手が向上する。
請求項３のデジタルカメラでは、人物＋風景モードを設けることで、人物および風景の双方を被写体として撮影する場合にも、撮影シーンに適した良好な構図の画像を、撮影者に依存することなく自動的に取得できる。
【００１５】
請求項５のデジタルカメラでは、セルフタイマ撮影が設定された場合、撮影モードが人物モードに自動的に固定されるため、撮影者は、構図を気にすることなく撮影範囲を設定しても、撮影者自身が含まれた最適な構図の画像を自動的に取得できる。これに対して、従来のデジタルカメラでは、撮影者は、撮影範囲内に自身が移動した状態を想定して構図を決定し、決定した構図に合わせて撮影範囲を設定しなければならず、セルフタイマ撮影において、最適な構図の画像を取得することは困難であった。
【００１６】
請求項６のデジタルカメラでは、クロップ画像そのものではなく、クロップ領域を示す領域パラメータが撮影画像と共に記憶手段に記憶されるため、記憶手段の記憶領域の有効活用に寄与できる。
請求項７のデジタルカメラでは、撮影画像ではなく、クロップ画像のみが記憶手段に記憶されるため、撮影画像の保存が不要な場合に、記憶手段の記憶領域を節約できる。
【００１７】
請求項８のデジタルカメラでは、クロップ領域の回転量を設定することで、傾いた画像を撮影してしまった場合にも、傾きが補正された画像を自動的に取得できる。
請求項９のデジタルカメラでは、クロップ領域の伸縮量を設定することで、撮影レンズの特性等に起因して生じる撮影画像の歪みが問題となる場合にも、歪みが補正された画像を自動的に取得できる。
【００１８】
請求項１０のデジタルカメラでは、クロップ画像そのものではなく、クロップ領域を示す領域パラメータが撮影画像と共に記憶手段に記憶されるため、記憶手段の記憶領域の有効活用に寄与できる。
請求項１１のデジタルカメラの画像取得方法では、撮影モードに応じて実施した画像解析の結果に基づいてクロップ領域を示す領域パラメータを設定することで、撮影シーンに適した良好な構図の画像を、撮影者に依存することなく自動的に取得できる。また、撮影者が指定する撮影モードに応じて撮影画像の画像解析を実施することで、画像解析処理の効率を向上できる。さらに、クロップ画像そのものではなく、クロップ領域を示す領域パラメータを撮影画像と共に記憶手段に格納するため、記憶手段の記憶領域の有効活用に寄与できる。クロップ画像が表示画面に表示されるため、撮影者は、構図が修正された画像を即座に確認できる。
【発明を実施するための最良の形態】
【００１９】
以下、図面を用いて本発明の実施形態について説明する。
図１および図２は、本発明のデジタルカメラの一実施形態を示している。このデジタルカメラは、撮影前の被写体の画像がＬＣＤ（Liquid Crystal Display）に表示される、いわゆるデジタルコンパクトカメラである。
デジタルカメラ１０は、レンズ１２、レンズ１２を介して被写体の画像を撮像するＣＣＤ（Charge Coupled Device）１４、デジタルカメラ１０の全体を制御する制御部１６（画像解析手段、領域設定手段、被写体判別手段、撮影モード固定手段、クロップ手段）、表示部１８（表示手段）、操作部２０、内部メモリ２２および記憶媒体２４（記憶手段）を有している。
【００２０】
表示部１８は、ＣＣＤ１４（撮像手段）により撮像された画像や各種メニューを表示するＬＣＤ１８ａ（表示画面）およびＬＣＤドライバで構成されている。操作部２０は、構図修正機能（ＣＣＤ１４により撮像された撮影画像の構図を自動的に修正する機能）を使用する構図修正モードおよび構図修正機能を使用しない通常モードのいずれかを選択するためのモードダイヤル２０ａと、撮影条件等の各種設定を実施するための十字キー２０ｂおよび決定ボタン２０ｃと、画像の取得（撮影）を指示するためのシャッターボタン２０ｄと、シャッターボタン２０ｄの押下（撮影要求）から所定時間後に撮影を実施するセルフタイマ撮影を設定するためのセルフタイマボタン２０ｅ（セルフタイマ撮影設定手段）とを有している。なお、セルフタイマボタン２０ｅは、デジタルカメラ１０の電源投入後、一回押下されるとＯＮになり、セルフタイマ撮影が設定される。また、セルフタイマボタン２０ｅは、再度押下されるとＯＦＦになり、セルフタイマ撮影が解除される。
【００２１】
内部メモリ２２は、例えば、制御部１６に各種処理を実行させるためのファームウェアを格納したＲＯＭと、ＣＣＤ１４により撮像された画像や各種データを記憶するＲＡＭとで構成されている。記憶媒体２４は、例えば、デジタルカメラ１０に着脱自在に装着されるメモリカード（フラッシュメモリ）であり、撮影画像を記憶する。
図３および図４は、構図修正モード時のデジタルカメラ１０の動作を示している。
【００２２】
制御部１６は、撮影者がモードダイヤル２０ａを操作して構図修正モードを選択した場合、内部メモリ２２に格納されたファームウェアの構図修正モード用プログラムに従って以下のように動作する。
ステップＳ１０において、制御部１６は、セルフタイマボタン２０ｅがＯＦＦであるか否かを判定する。セルフタイマボタン２０ｅがＯＦＦである場合、処理はステップＳ２０に移行する。セルフタイマボタン２０ｅがＯＮである場合、処理はステップＳ２２に移行する。
【００２３】
ステップＳ２０において、制御部１６は、人物を被写体として撮影するための人物モード、風景を被写体として撮影するための風景モード、人物および被写体の双方を被写体として撮影するための人物＋風景モード、被写体をその種別を予め指定することなく撮影するためのオートモードのいずれかを選択するためのメニューをＬＣＤ１８ａに表示する。撮影者は、ＬＣＤ１８ａを参照しながら操作部２０の十字キー２０ｂおよび決定ボタン２０ｃを操作して、これらの撮影モードのいずれかを選択する。このように、制御部１６、表示部１８および操作部２０は、人物モード、風景モード、人物＋風景モードおよびオートモードのいずれかを撮影者に選択させるための撮影モード選択手段として機能する。この後、処理はステップＳ３０に移行する。
【００２４】
ステップＳ３０において、制御部１６は、シャッターボタン２０ｄが押下されるまで待機する。撮影者によりシャッターボタン２０ｄが押下されると、処理はステップＳ４０に移行する。
ステップＳ２２において、制御部１６は、撮影モードを人物モードに固定する。この後、処理はステップＳ３２に移行する。
【００２５】
ステップＳ３２において、制御部１６は、シャッターボタン２０ｄが押下されるまで待機する。撮影者によりシャッターボタン２０ｄが押下されると、処理はステップＳ３４に移行する。
ステップＳ３４において、制御部１６は、撮影者がデジタルカメラ１０の撮影範囲内に移動するための所定時間が経過するまで待機する。所定時間が経過すると、処理はステップＳ４０に移行する。
【００２６】
ステップＳ４０において、制御部１６は、シャッターボタン２０ｄの押下（セルフタイマ撮影が設定されている場合には所定時間の経過）に応答して、ＣＣＤ１４により撮像された撮影画像を内部メモリ２２に格納する。この後、処理はステップＳ５０に移行する。
ステップＳ５０において、制御部１６は、撮影モードが人物モードであるか否かを判定する。撮影モードが人物モード以外である場合（すなわち、風景モード、人物＋風景モードおよびオートモードのいずれかである場合）、処理はステップＳ６０に移行する。撮影モードが人物モードである場合、処理はステップＳ７０に移行する。
【００２７】
ステップＳ６０において、制御部１６は、ステップＳ４０で内部メモリ２２に格納された撮影画像に対して、風景の特徴量を解析する風景解析を実施する。例えば、制御部１６は、テクスチャ解析を実施することにより、撮影画像を風景の構成要素毎に領域分割する。この後、処理はステップＳ７０に移行する。
ステップＳ７０において、制御部１６は、撮影モードが風景モードであるか否かを判定する。撮影モードが風景モード以外である場合（すなわち、人物モード、人物＋風景モードおよびオートモードのいずれかである場合）、処理はステップＳ８０に移行する。撮影モードが風景モードである場合、処理はステップＳ９０に移行する。
【００２８】
ステップＳ８０において、制御部１６は、ステップＳ４０で内部メモリ２２に格納された撮影画像に対して、人物の特徴量を解析する人物抽出を実施する。例えば、制御部１６は、肌色抽出を実施することにより、撮影画像における人物の顔の大きさおよび位置を特定する。この後、処理はステップＳ９０に移行する。
ステップＳ９０において、制御部１６は、撮影モードがオートモードであるか否かを判定する。撮影モードがオートモードである場合、処理はステップＳ１００に移行する。撮影モードがオートモード以外である場合、処理はステップＳ１１０に移行する。
【００２９】
ステップＳ１００において、制御部１６は、ステップＳ６０、Ｓ８０で実施された画像解析の結果に基づいて被写体の種別を、人物、風景および人物＋風景のいずれかに判別する。制御部１６は、判別した被写体の種別に対応する人物モード、風景モードおよび人物＋風景モードのいずれかを選択する。この後、処理はステップＳ１１０に移行する。
なお、本実施形態のデジタルカメラ１０は、人物モード、風景モード、人物＋風景モードおよびオートモードを有するが、例えば、デジタルカメラ１０が人物モード、風景モードおよびオートモードのみを有する（すなわち、人物＋風景モードを有していない）場合には、制御部１６は、ステップＳ６０、Ｓ８０で実施された画像解析の結果に基づいて被写体の種別を、人物および風景のいずれかに判別する。制御部１６は、判別した被写体の種別に対応する人物モードおよび風景モードのいずれかを選択する。
【００３０】
ステップＳ１１０において、制御部１６は、撮影画像に対する画像解析の結果に基づいて、クロップ領域（撮影画像から切り出す領域）を示す領域パラメータを、選択されている撮影モードに対応して設定する。領域パラメータは、クロップ領域の大きさ、位置、回転量および伸縮量を含む。クロップ領域の回転量は、撮影画像の傾きを補正するために設定される。クロップ領域の伸縮量は、撮影画像の歪み（例えば、レンズ１２の特性に起因して生じる歪み）を補正するために設定される。この後、処理はステップＳ１２０に移行する。
【００３１】
ステップＳ１２０において、制御部１６は、例えば、Ｅｘｉｆ（Exchangeable image file format）形式で、ステップＳ１１０で設定した領域パラメータをタグ情報として撮影画像に付加して記憶媒体２４に保存する。この後、処理はステップＳ１３０に移行する。
ステップＳ１３０において、制御部１６は、構図が修正された画像を撮影者に確認させるために、撮影画像と領域パラメータとを用いて、領域パラメータにより表されるクロップ領域内の画像をクロップ画像として切り出すとともに、クロップ画像をＬＣＤ１８ａに表示する。これにより、構図修正モードでの撮影は完了する。
【００３２】
図５は、人物モードにおける画像取得動作の概要を示している。
例えば、図５(a)に示すような撮影画像P1に対して、図３のステップＳ８０に示される人物抽出（肌色抽出）を実施することで、人物の顔の位置および大きさが特定される。そして、図５(b)に示すように、ステップＳ８０の人物抽出の結果に基づいて、人物の顔がクロップ領域の中央に配置されないように、かつクロップ領域の大きさに対する人物の顔の大きさが所定比になるように、クロップ領域CA1が設定される。この結果、図５(c)に示すように、人物の大きさおよび位置が修正された良好な構図のクロップ画像P1aが取得される。
【００３３】
図６は、風景モードにおける画像取得動作の概要を示している。
例えば、図６(a)に示すような撮影画像P2に対して、図３のステップＳ６０に示される風景解析（テクスチャ解析）を実施することで、空、海および太陽の領域分割比が特定される。そして、図６(b)に示すように、ステップＳ６０の風景解析の結果に基づいて、空、海および太陽の領域分割比が、いわゆる黄金分割になるように、クロップ領域CA2を設定する。この結果、図６(c)に示すように、空、海および太陽の領域分割比が修正された良好な構図のクロップ画像P2aが取得される。
【００３４】
また、例えば、水平線（空と海との領域境界線）が傾いている場合、すなわち撮影画像が傾いている場合、空と海との領域境界線の傾きに合わせてクロップ領域の回転量を設定することで、領域境界線の傾きが補正されたクロップ画像が取得される。さらに、レンズ１２の特性等により生じる撮影画像の歪みが問題となる場合、例えば、クロップ領域の四隅の位置（撮影画像の中央からの距離）に応じてクロップ領域の伸縮量を設定することで、歪みが補正されたクロップ画像が取得される。
【００３５】
図７は、人物＋風景モードにおける画像取得動作の概要を示している。
例えば、図７(a)に示すような撮影画像P3に対して、図３のステップＳ６０に示される風景解析を実施することで、山、空および人物の領域分割比が特定されるとともに、図３のステップＳ８０に示される人物抽出を実施することで、人物の顔の位置および大きさが特定される。そして、図７(b)に示すように、ステップＳ６０の風景解析の結果に基づいて、山、空および人物の領域分割比が黄金分割になるように、かつステップＳ８０の人物抽出の結果に基づいて、クロップ領域の大きさに対する人物の顔の大きさが所定比になるように、クロップ領域CA3が設定される。この結果、図７(c)に示すように、山、空および人物の領域分割比および人物の大きさが修正された良好な構図のクロップ画像P3aが取得される。
【００３６】
なお、図５〜図７の撮影画像P1〜P3がオートモードで取得された場合においても、被写体の種別の判別結果に基づいて人物モード、風景モードおよび人物＋風景モードのいずれかを選択することで、撮影画像P1〜P3から良好な構図のクロップ画像P1a〜P3aがそれぞれ取得される。
以上、本実施形態では、次の効果が得られる。
【００３７】
制御部１６は、撮影モードに応じて実施した画像解析の結果に基づいて領域パラメータを設定するため、撮影シーンに適した良好な構図の画像を、撮影者に依存することなく自動的に取得できる。また、制御部１６は、撮影者が指定する撮影モードに応じて撮影画像の画像解析を実施するため、画像解析処理の効率を向上できる。
デジタルカメラ１０はオートモードを有しているため、撮影者が撮影シーンに応じて撮影モードを切り替える操作を不要にでき、デジタルカメラ１０の使い勝手を向上できる。
【００３８】
セルフタイマボタン２０ｅがＯＮである場合、制御部１６は撮影モードを人物モードに固定するため、撮影者は、構図を気にすることなく撮影範囲を設定しても、撮影者自身が含まれた良好な構図の画像を取得できる。
制御部１６は、クロップ画像そのものではなく、領域パラメータを撮影画像と共に記憶媒体２４に保存するため、記憶媒体２４の記憶領域の有効に活用できる。
【００３９】
傾いた画像を撮影してしまった場合にも、クロップ領域の回転量の設定により、傾きが補正された画像を自動的に取得できる。レンズ１２の特性等に起因する撮影画像の歪みが問題となる場合にも、クロップ領域の伸縮量の設定により、歪みが補正された画像を自動的に取得できる。クロップ画像がＬＣＤ１８ａに表示されるため、撮影者は、構図が修正された画像を即座に確認できる。
【００４０】
なお、前述の実施形態では、本発明を、人物モード、風景モード、人物＋風景モードおよびオートモードを有するデジタルカメラに適用した例について述べた。本発明は、かかる実施形態に限定されるものではない。例えば、本発明を、人物モード、風景モードのみを有するデジタルカメラや、人物モードおよび風景モードに加えて、人物＋風景モードおよびオートモードのいずれかのみを有するデジタルカメラに適用してもよい。また、本発明を、人物モードおよび風景モードに加えて、撮影目的に応じて適宜設けられたその他の撮影モードを有するデジタルカメラに適用してもよい。
【００４１】
前述の実施形態では、本発明をデジタルカメラに適用した例について述べた。本発明は、かかる実施形態に限定されるものではない。例えば、本発明を携帯電話およびＰＤＡ（Personal Digital Assistant）等の携帯機器のデジタルカメラ機能に適用してもよい。
前述の実施形態では、本発明をデジタルコンパクトカメラに適用した例について述べた。本発明は、かかる実施形態に限定されるものではない。例えば、本発明をデジタル一眼レフカメラに適用してもよい。
【００４２】
前述の実施形態では、本発明をデジタルカメラに適用した例について述べた。本発明は、かかる実施形態に限定されるものではない。例えば、本発明をデジタルカメラの動画撮影機能やビデオカメラに適用してもよい。この場合、領域パラメータの設定処理をリアルタイムに実施することで、良好な構図の動画を自動的に取得できる。
前述の実施形態では、領域パラメータを撮影画像とともに記憶媒体２４に保存する例について述べた。本発明は、かかる実施形態に限定されるものではない。例えば、撮影画像の保存が不要な場合には、内部メモリ２２に格納されているファームウェアを変更して、クロップ画像のみを記憶媒体２４に保存するようにしてもよい。この場合、記憶媒体２４の記憶領域を節約できる。
【００４３】
以上、本発明について詳細に説明してきたが、前述の実施形態およびその変形例は発明の一部に過ぎず、本発明はこれに限定されるものではない。本発明を逸脱しない範囲で変形可能であることは明らかである。
【図面の簡単な説明】
【００４４】
【図１】本発明のデジタルカメラの一実施形態を示すブロック図である。
【図２】図１のデジタルカメラを示す概略図である。
【図３】構図修正モード時のデジタルカメラの動作を示すフローチャートである。
【図４】図３におけるデジタルカメラの動作の続きを示すフローチャートである。
【図５】人物モードにおける画像取得動作の概要を示す説明図である。
【図６】風景モードにおける画像取得動作の概要を示す説明図である。
【図７】人物＋風景モードにおける画像取得動作の概要を示す説明図である。
【符号の説明】
【００４５】
１０  デジタルカメラ
１２  レンズ
１４  ＣＣＤ
１６  制御部
１８  表示部
１８ａ  ＬＣＤ
２０  操作部
２０ａ  モードダイヤル
２０ｂ  十字キー
２０ｃ  決定ボタン
２０ｄ  シャッターボタン
２０ｅ  セルフタイマボタン
２２  内部メモリ
２４  記憶媒体
CA1、CA2、CA3  クロップ領域
P1、P2、P3  撮影画像
P1a、P2a、P3a  クロップ画像
【図１】
2005175684.tif 000003
【図２】
2005175684.tif 000004
【図３】
2005175684.tif 000005
【図４】
2005175684.tif 000006
【図５】
2005175684.tif 000007
【図６】
2005175684.tif 000008
【図７】
2005175684.tif 000009